(57)【要約】【課題】観察対象とする移動体の動きや配置関係を遠隔地等からリアルタイムに認識することができるサポートナビゲータシステムを提供する。【解決手段】マラソン競技に参加するランナー２ａ〜２ｃに取り付けられると共に、その位置情報を検知する位置情報検知手段３１および位置情報を送信する送信手段３２を含む端末装置３ａ〜３ｃと、送信手段３２から送信された位置情報を受信する受信手段４と、付加情報データベース６に収納された付加情報を前記位置情報に付加すると共に、地図データベース７に収納された地図情報を組み合わせて合成マップ情報８ａを作成し、該合成マップ情報８ａをサーバ９に記憶させる収集局５とを具備し、ユーザ１２が端末機１１から通信ネットワーク１０を介して合成マップ情報８ａを閲覧できるように構成する。付加情報は、ランナー２ａ〜２ｃの識別情報を含み、個々の動きをリアルタイムに認識できる。【選択図】図１
2008128876.tif 000002
【特許請求の範囲】
【請求項１】
移動体に取り付けられると共に、該移動体の位置情報を検知する位置情報検知手段および前記位置情報を送信する送信手段を含む端末装置と、
前記送信手段から送信された位置情報を受信する受信手段と、
付加情報を収納した付加情報データベースと、地図情報を収納した地図情報データベースと、前記受信手段で受信した位置情報に前記付加情報を付加すると共に前記地図情報を組み合わせて合成マップ情報を作成する合成マップ情報作成手段とからなる収集局と、
前記合成マップ情報を記憶させる記憶手段とを具備し、
ユーザが通信ネットワークを介して前記記憶手段にアクセスすることで、前記合成マップ情報を閲覧できるように構成されていることを特徴とするサポートナビゲータシステム。
【請求項２】
前記移動体は、移動する競技車両もしくは競技者、または競技者の伴走車両のいずれかであることを特徴とする請求項１に記載のサポートナビゲータシステム。
【請求項３】
前記付加情報が、複数の移動体の個々の識別情報を含むことを特徴とする請求項１または２に記載のサポートナビゲータシステム。
【請求項４】
前記付加情報データベースに新規付加情報を入力する入力手段が設けられ、
前記新規付加情報の入力者および入力者が許可したユーザ以外は、前記通信ネットワークを介して前記新規付加情報を付加した前記合成マップ情報を閲覧できないようにするアクセス制限手段が設けられていることを特徴とする請求項１ないし３のいずれかに記載のサポートナビゲータシステム。
【請求項５】
前記位置情報検知手段は、ＧＰＳ受信機であることを特徴とする請求項１ないし４のいずれかに記載のサポートナビゲータシステム。
【請求項６】
前記受信手段は、携帯電話用の基地局であることを特徴とする請求項１ないし５のいずれかに記載のサポートナビゲータシステム。
【請求項７】
前記受信手段は、移動局であることを特徴とする請求項１ないし５のいずれかに記載のサポートナビゲータシステム。
【請求項８】
前記受信手段と前記収集局とが一体的に構成されていることを特徴とする請求項１ないし７のいずれかに記載のサポートナビゲータシステム。
【発明の詳細な説明】
【技術分野】
【０００１】
本発明は、サポートナビゲータシステムに係り、特に、観察対象とする移動体の動きや配置関係を遠隔地等からリアルタイムに認識することができるサポートナビゲータシステムに関する。
【背景技術】
【０００２】
近年、地球の周回軌道を回る衛星から発信される電波を利用して、電波の受信者と衛星の位置関係を測定することで受信者の現在地を知ることができるＧＰＳ（Ｇｌｏｂａｌ  Ｐｏｓｉｔｉｏｎｉｎｇ  Ｓｙｓｔｅｍ）の利用が進んでいる。ＧＰＳの用途にはカーナビゲーションシステムがよく知られ、また現在では、人が持ち運ぶことができる小型軽量な携帯型ＧＰＳ受信機も普及している。
【０００３】
特許文献１には、ＧＰＳを利用して、観察対象であるターゲットとしてのレース車両やマラソンランナー等の位置情報を検知し、この位置情報を地図情報に重ね合わせて所定のユーザの携帯端末装置に表示できるようにした位置情報提供システムが開示されている。
【特許文献１】特開２００３−３１７１９５号公報
【発明の開示】
【発明が解決しようとする課題】
【０００４】
しかしながら、特許文献１の技術では、携帯端末装置の画面等にターゲットの現在地が表示されるのみであり、例えば、複数のランナーが参加するマラソン競技を観戦する際において、各ランナーの順位や先頭集団の様子などをリアルタイムに認識することで、より競技観戦の臨場感等を高める手法に関しては、未だ工夫の余地があった。
【０００５】
本発明の目的は、上記した従来技術の課題を解決し、観察対象とする移動体の動きや配置関係を遠隔地等からリアルタイムに認識することができるサポートナビゲータシステムを提供することにある。
【課題を解決するための手段】
【０００６】
前記した目的を達成するために、本発明は、移動体に取り付けられると共に、該移動体の位置情報を検知する位置情報検知手段および前記位置情報を送信する送信手段を含む端末装置と、前記送信手段から送信された位置情報を受信する受信手段と、付加情報を収納した付加情報データベースと、地図情報を収納した地図情報データベースと、前記受信手段で受信した位置情報に前記付加情報を付加すると共に前記地図情報を組み合わせて合成マップ情報を作成する合成マップ情報作成手段とからなる収集局と、前記合成マップ情報を記憶させる記憶手段とを具備し、ユーザが通信ネットワークを介して前記記憶手段にアクセスすることで、前記合成マップ情報を閲覧できるように構成されている点に第１の特徴がある。
【０００７】
また、前記移動体は、移動する競技車両もしくは競技者、または競技者の伴走車両のいずれかである点に第２の特徴がある。
【０００８】
また、前記付加情報が、複数の移動体の個々の識別情報を含む点に第３の特徴がある。
【０００９】
また、前記付加情報データベースに新規付加情報を入力する入力手段が設けられ、前記新規付加情報の入力者が許可したユーザ以外は、前記通信ネットワークを介して前記新規付加情報を付加した前記合成マップ情報を閲覧できないようにするアクセス制限手段が設けられている点に第４の特徴がある。
【００１０】
また、前記位置情報検知手段は、ＧＰＳ受信機である点に第５の特徴がある。
【００１１】
また、前記受信手段は、携帯電話用の基地局である点に第６の特徴がある。
【００１２】
また、前記受信手段は、移動局である点に第７の特徴がある。
【００１３】
さらに、前記受信手段と前記収集局とが一体的に構成されている点に第８の特徴がある。
【発明の効果】
【００１４】
第１の発明によれば、移動体に取り付けられると共に、該移動体の位置情報を検知する位置情報検知手段および位置情報を送信する送信手段を含む端末装置と、送信手段から送信された位置情報を受信する受信手段と、付加情報を収納した付加情報データベースと、地図情報を収納した地図情報データベースと、受信手段で受信した位置情報に前記付加情報を付加すると共に地図情報を組み合わせて合成マップ情報を作成する合成マップ情報作成手段とからなる収集局と、合成マップ情報を記憶させる記憶手段とを具備し、ユーザが通信ネットワークを介して記憶手段にアクセスすることで合成マップ情報を閲覧できるように構成したので、観察対象から離れた遠隔地等から、通信ネットワークを介して移動体の動きや配置関係をリアルタイムに認識することが可能となる。
【００１５】
第２の発明によれば、移動体は、移動する競技車両もしくは競技者、または競技者の伴走車両のいずれかであるようにしたので、自動二輪車や４輪車によるレース、マラソン競技、伴走車両のある自転車レース等の遠隔地での観戦に適したサポートナビゲータシステムが得られる。また、競技を観戦するユーザが競技の進行状況等をリアルタイムに認識でき、臨場感のある競技観戦を実現することが可能となる。さらに、移動体の動きに合わせて競技の警備員の配置換えや交通規制等が必要な場合に的確な状況判断を行うことが可能となる。
【００１６】
第３の発明によれば、付加情報が、複数の移動体の個々の識別情報を含むようにしたので、複数の移動体が同時に移動する場合でも、個々の移動体を識別しながら観察することが可能となる。
【００１７】
第４の発明によれば、付加情報データベースに新規付加情報を入力する入力手段が設けられ、新規付加情報の入力者が許可したユーザ以外は、通信ネットワークを介して新規付加情報を付加した合成マップ情報を閲覧できないようにするアクセス制限手段が設けられているので、収集局において新規付加情報の入力者が許可したユーザおよび許可しないユーザのために共通の合成マップ情報を使用し、それに新規付加情報を付加して、それぞれのユーザに適した合成マップ情報を提供することが可能となる。
【００１８】
第５の発明によれば、位置情報検知手段は、ＧＰＳ受信機であるようにしたので、ＧＰＳ衛星を使用した周知のシステムを利用することで、移動体の位置情報を正確に検知することが可能となる。
【００１９】
第６の発明によれば、受信手段は、携帯電話用の基地局であるようにしたので、既存の通信網を使用することで、移動体の位置情報を確実に収集局に伝達できるようになる。また、広範な地域において移動体の位置検出が可能となる。
【００２０】
第７の発明によれば、受信手段は、移動局であるようにしたので、移動体に取り付けられた端末装置からの送信電波が届く範囲に基地局が存在しない場合でも、例えば、移動局が移動体に伴走することで、端末装置からの送信電波を確実に収集局に伝達できるようになる。
【００２１】
第８の発明によれば、受信手段と収集局とが一体的に構成されているので、ケーブル等による両者間の情報伝達手段を簡略化することが可能となる。
【発明を実施するための最良の形態】
【００２２】
以下、図面を参照して本発明の好ましい実施の形態について詳細に説明する。図１は、本発明の一実施形態に係るサポートナビゲータシステムの概要説明図である。本発明に係るサポートナビゲータシステムは、例えば、マラソン競技等の開催時において、開催現場から遠隔の地で観戦する観戦者に対し、競技者であるランナーの順位や位置関係などをリアルタイムに伝達する情報提供手段として稼働するものである。以下では、マラソン競技開催時の適用例を示す。
【００２３】
マラソン競技の参加者である移動体としてのランナー２ａ，２ｂ，２ｃには、それぞれ、端末装置３ａ，３ｂ，３ｃが取り付けられている。この端末装置３（３ａ，３ｂ，３ｃ）は、図２に示すように、位置情報検知手段３１と送信手段３２とを備えている。本実施形態に係る位置情報検知手段３１は、ＧＰＳ衛星１からの電波を受信するＧＰＳ受信機であり、これにより、競技中のランナー２ａ，２ｂ，２ｃの位置情報をＧＰＳによって検知することが可能となる。この位置情報は、緯度および経度等からなる地球上の一点を示すものであり、ＧＰＳ衛星１からの電波によって位置情報を認識した端末装置３は、送信アンテナからなる送信手段３２を用いてランナー２ａ，２ｂ，２ｃの位置情報を発信する。この送信手段３２から送信される位置情報には、各端末装置３ａ〜３ｃのそれぞれに固有の識別情報が付加されている。なお、端末装置３は、ランナーの脈拍等を計測する各種センサを取り付けることで、位置情報と共にランナーの体調に関する情報を送信手段３２から送信するように構成することもできる。
【００２４】
前記送信手段３２から送信された位置情報は、受信アンテナ等からなる受信手段４によって受信される。本実施形態に係る受信手段３２には、携帯電話の基地局が利用されており、送信手段３２からの送信電波は、携帯電話に使用されるＣＤＭＡやＰＤＣ、ＧＳＭ等の周知の通信方式によって送信することができる。また、前記基地局は、端末装置３との間で無線通信を行うための装置およびこれに付随する建造物やその設置場所を含むものであり、携帯電話用の基地局のほか、業務用移動無線局の基地局等を利用する構成としてもよい。また、受信手段３２は、地上に固定される基地局に限られず、競技者の伴走車に搭載した受信アンテナ等から構成される移動局であってもよい。
【００２５】
受信手段４によって受信された位置情報は、マラソン競技の開催者や開催者の協力組織等が管理する収集局５に、情報通信ケーブル等を介して伝達される。収集局５には、地図情報が収納される地図情報データベース６と、付加情報が収納される付加情報データベース７と、合成マップ情報８ａを作成するマップマッチング処理部８が含まれている。このマップマッチング処理部８は、受信手段４が受信した位置情報に付加情報を付加した後に、地図情報とのマッチング処理を実行して合成マップ情報８ａを作成する。前記付加情報には、例えば、ランナーの氏名やゼッケンの数字、およびゼッケンの数字と前記端末装置３ａ〜３ｃがそれぞれ有する識別情報との対応関係等を含むことができる。
【００２６】
収集局５は、マップマッチング処理部８で作成した合成マップ情報８ａを、記憶手段としてのサーバ９に記憶させる。このサーバは、インターネット等による通信ネットワーク１０に接続されており、観戦者であるユーザ１２は、それぞれの自宅等に設置された端末機１１から通信ネットワーク１０にアクセスすることで、合成マップ情報８ａを閲覧することができる。なお、一般ユーザとしてのユーザ１２は、収集局５に対して合成マップ情報８ａの利用契約を結んだ特定のユーザとするほか、特にアクセス制限を設けずに不特定多数の者としてもよい。
【００２７】
なお、前記受信手段４は、収集局５と一体的に構成されてもよい。例えば、ランナーの伴走車両に受信手段４を取り付けて走る移動局を構成し、この伴走車両に積載したコンピュータに収集局５の機能を持たせることができる。また、収集局５の地図情報データベース６は、収集局５の外部に設置されてもよい。
【００２８】
図３は、端末機に表示される合成マップ情報の表示例である。本実施形態に係る合成マップ情報８ａによれば、地図情報データベース７から読み出される地図の上に、各ランナーの氏名やゼッケンの数字がリアルタイムで移動する様子を表示することが可能となる。また、地図情報にマラソンコースの道順情報を付加することで、各ランナーを示す記号の上に順位を表示したり、画面上に順位の一覧表を表示したりすることができる。この図では、ランナー４０〜４３の現在地がゼッケンの数字（♯７、♯１０、♯１９、♯４）によって表示され、ゼッケンの数字の近傍にその順位（ｐｏｓ．１〜４）が示されている。このような表示によれば、各選手の動きや配置関係が一目で把握でき、競技観戦の臨場感が高められる。さらに、各ランナー４０〜４３を示す記号に、ランナーの速度に比例した長さの移動軌跡を付記すれば、あるランナーがラストスパートを仕掛けた、あるいは失速した等の詳細なレース情報を画面表示から読み取ることも可能となる。
【００２９】
また、マラソン競技を観戦する場合、ＴＶやラジオで中継が行われたとしても、その内容は先頭争いや有名選手の解説が中心となり、後続グループの様子や、ユーザ１２が注目する特定のランナーの様子を希望通りに確認できる可能性は少ない。しかしながら、本発明に係るサポートナビゲータシステムによれば、端末機１１に表示される合成マップ情報の表示位置や縮尺を変更することで、ユーザ１２が注目する部分のレース状況を任意に確認することが可能となる。
【００３０】
前記端末機１１は、ユーザ１２の自宅等に設置されているＰＣのほか、携帯電話、無線通信機能を有するノートＰＣやＰＤＡ等とすることができる。これにより、例えば、コースサイドで観戦する際に、無線携帯型の端末機１１を所持していれば、目の前を通過する各ランナーに声援を送りながら、レース全体の様子もリアルタイムに認識することができ、充実したレース観戦が可能となる。
【００３１】
また、前記サーバ９においては、順次更新される合成マップ情報８ａに基づいて各ランナーの速度を算出し、さらに、各ランナーが所定の地点を通過する予想時間を導き出すことが可能である。これにより、ユーザ１２は、特定の選手の通過をコースサイドで確実に見届けられるように、予想時間を考慮して所定の観戦場所に先回りする等の判断ができるようになる。
【００３２】
なお、本実施形態においては、端末装置３を取り付ける移動体をマラソン競技のランナーとしたが、その対象がレース用の自転車、自動二輪車、４輪車等であってもよいことは勿論である。
【００３３】
また、前記端末装置３は、ＧＰＳ受信端末に替えてＲＦＩＤ（Ｒａｄｉｏ  Ｆｒｅｑｕｅｎｃｙ  Ｉｄｅｎｔｉｆｉｃａｔｉｏｎ）技術によるＩＣタグとすることができる。このＩＣタグは、情報記録用のＩＣチップと無線通信用アンテナとを組み合わせた比較的近距離での情報通信を可能とする装置であるが、電池を内蔵して通信距離を延ばしたアクティブタグを使用した場合でも小型軽量（例えば、１０mm×１０mm×１mm）に構成できるため、ゼッケンやタスキ等に取り付けてもランナーにほとんど負担をかけることがない。
【００３４】
ＩＣタグを使用した際のランナーの位置情報の検出は、例えば、予めマラソン競技のコース上に複数のリーダ装置を設置しておき、どのＩＣタグがどのリーダ装置に検出されたかによって行うことができる。また、ランナーに伴走する車両にリーダ装置を設置しておき、１台のリーダ装置で伴走車の周囲を走る複数のランナーの配置関係を検出することも可能である。この場合、伴走車の現在地は前記ＧＰＳで検出され、ランナーの位置情報は伴走車との位置関係から導き出されてマップマッチング処理部８に送られる。
【００３５】
図４は、本発明の第２実施形態に係るサポートナビゲータシステムの概要説明図である。前記と同一符号は、同一または同等部分を示す。本実施形態では、前記マップマッチング処理部８に新規付加情報を入力するための入力手段２０が設けられている点に特徴がある。前記入力手段２０は、主催者２１のみが使用可能なコンピュータ機器等で構成することができる。通常、マラソン競技は一般公道を一時的に閉鎖して開催されるため、主催者２１は、競技のスムーズな進行のほか、近隣住宅への配慮や交通渋滞の回避等の諸事情を考慮しなければならない。このため、主催者２１は、競技の進行状況を把握しながら、観戦者の誘導や交通整理を行う警備員等を適切な箇所に配備する必要が生じる。
【００３６】
上記したような要望に対し、本実施形態に係るサポートナビゲータシステムでは、通信ネットワーク２１にアクセスすることで主催者２１が競技の進行状況等を容易に把握できるので、この情報に基づいて、警備員の配置を効率よく行うことが可能となる。また、主催者２１は、前記入力手段２０を用いて、最新の警備員配置や交通規制情報等を新規付加情報としてマップマッチング処理部８に入力することができ、これにより、新規付加情報を含む合成マップ情報８ａを通信ネットワーク１０を介して閲覧することが可能となる。
【００３７】
なお、主催者２１が入力した新規付加情報を含む合成マップ情報８ａに対しては、パスワード設定等のアクセス制限手段による閲覧制限を設けることが可能であり、本実施形態では、所定の無線アンテナ２２と無線通信を行い、主催者２１が許可した者が所持する主催者専用携帯端末機２３のみがアクセスできるように設定されている。これにより、一般ユーザに特定の情報を開示しないようにすることができる。また、現場に配置される警備員に主催者専用携帯端末機２３を持たせることで、競技の進行状況や周囲の警備員の配置、交通規制の状況等を警備員が自ら確認することが可能となる。なお、前記入力手段２０を使用する主催者２１は、マラソン競技の主催者と協力して交通規制を実行管理する組織等であってもよい。また、新規追加情報を含む合成マップ情報８ａの閲覧は主催者２１の許可に伴って可能となるものであり、閲覧に使用する機器は、携帯端末機に限られるものではない。
【００３８】
一方、一般ユーザによる利用方法のバリエーションとして、所定の無線アンテナ１３を介し、自動車１５に取り付けられるカーナビゲーションシステム１４が通信ネットワーク１０に接続されれば、カーナビゲーションシステム１４の画面にも競技の進行状況等を表示できるようになり、競技コースの近傍を走行する自動車１５の運転者は、競技の開催を原因とする渋滞が予想される道路を事前に回避することが可能となる。
【００３９】
また、マラソン競技の参加チーム監督者１６が、通信ネットワーク１０を介してトップの選手とのタイム差や後続集団との距離等を把握できれば、参加チーム監督者１６は、据置型のＰＣの前にいながら作戦を考案し、自チームのランナー２ａに伴走している自チームの伴走車１６ｂに、例えば、「○ｋｍ地点に達したらペースアップの指示を出すように」といった作戦指令を出すことが容易となる。なお、伴走車１６ｂにもＧＰＳ受信機１６ａを取り付けておけば、合成マップ情報８ａに伴走車１６ｂの走行位置を表示することも可能である。
【００４０】
図５は、前記主催者専用携帯端末機２３に表示される合成マップ情報の表示例である。本実施形態に係る合成マップ情報８ａでは、各ランナーがリアルタイムで移動する様子に加えて、主催者２１が入力した新規付加情報が表示されている。本実施形態では、警備員５０〜５２の配置状況（♯Ａ，♯Ｂ，♯Ｃ）と、「通行止め」の立て看板による交通規制情報６２〜６４（交通規制中，交通規制解除，交通規制なし）が表示されている。さらに、この図では、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）等を利用した交通渋滞情報を示す矢印６１と、コースの沿道に集まって応援する観戦者の密度分布６０が表示されている。
【００４１】
前記した観戦者の密度分布６０は、警備員５０〜５２から主催者２１へ伝達された現場の目視情報に基づいて作成されるほか、前記伴走車１６ｂから撮影した観客の映像を分析した結果に基いて作成されたり、また、経験則に基づいて観戦者の移動パターンをシミュレーションしたものでもよい。上記したような画面表示によれば、主催者２１は、マラソン競技の開催現場において多種多様な情報をリアルタイムで獲得することができ、周囲の交通規制や警備員の配置指令をより適切に実行することが可能となる。
【００４２】
上記したように、本発明に係るサポートナビゲータシステムによれば、観察対象としてのランナーから離れた遠隔地等から、通信ネットワークを介してその動きや配置関係をリアルタイムに認識することが可能となるので、臨場感のある競技観戦を実現できるようになる。また、マラソン競技等において、競技の進行に合わせて警備員の配置や交通規制等が必要な場合において、主催者等が的確な状況判断を行うことが可能となる。
【００４３】
なお、移動体に取り付けられる携帯装置の構成、付加情報データベースに収納される付加情報の内容、前記端末機や主催者専用携帯端末機の構成およびその画面に表示される合成マップ情報のデザイン等は、上記した実施形態に限られず、種々の変形が可能であることは勿論である。
【図面の簡単な説明】
【００４４】
【図１】本発明の一実施形態に係るサポートナビゲータシステムの概要説明図である。
【図２】携帯端末の構成を示すブロック図である。
【図３】合成マップ情報の画面表示の一例である。
【図４】本発明の第２実施形態に係るサポートナビゲータシステムの概要説明図である。
【図５】合成マップ情報の画面表示の一例である。
【符号の説明】
【００４５】
１…ＧＰＳ衛星、２ａ〜２ｃ…ランナー（移動体）、３ａ〜３ｃ…端末装置、４…受信手段、５…収集局、６…地図情報データベース、７…付加情報データベース、８…マップマッチング処理部、８ａ…合成マップ情報、９…サーバ（記憶手段）、１０…通信ネットワーク、１１…端末機、１２…ユーザ
【図１】
2008128876.tif 000003
【図２】
2008128876.tif 000004
【図３】
2008128876.tif 000005
【図４】
2008128876.tif 000006
【図５】
2008128876.tif 000007